(57)【要約】【課題】暗い場所でも被写体側から撮影レンズの位置を視認できる撮影装置を提供することを目的とする。【解決手段】レンズ鏡筒７の被写体側端部に組み込まれた複数個、例えば等間隔に配列された４個のＬＥＤと、これらのＬＥＤを被うように、前記レンズ鏡筒７の被写体側端部に取り付けられたドーナツ状をした発光板１５とから発光部１３が構成されている。発光板１５は、光拡散性を有する色素を混入したアクリル樹脂から形成されている。モード切替ダイヤル１８を夜景撮影モードにセットするとＬＥＤが点灯し、発光部１３が発光するので、暗い場所でも被写体側から撮影レンズ５の位置を視認できる。【選択図】図１
2007304126.tif 000002
【特許請求の範囲】
【請求項１】
撮影レンズを装置本体に備えた撮影装置において、
前記撮影レンズのレンズ鏡筒又はレンズ鏡筒近傍の装置本体でかつ被写体側から視認される位置に設けられた発光部と、
この発光部を発光させる際に操作される操作部材と
を設けたことを特徴とする撮影装置。
【請求項２】
前記操作部材は、少なくとも夜景撮影モードと他のモードとの切替機能を有するモード切替部材であり、このモード切替部材を夜景撮影モードにセットすることにより、前記発光部が発光することを特徴とする請求項１記載の撮影装置。
【請求項３】
被写体の輝度を測光する測光部と、
半押し操作によって少なくとも測光部による測光が行なわれ、全押し操作によって撮影が実行されるシャッタボタンと、
前記モード切替部材が夜景撮影モードにセットされた状態で、前記シャッタボタンの半押し操作により測光部による測光が行われている間は発光部の発光を停止し、前記測光が完了してからシャッタボタンを全押し操作するまでの間は発光部を発光させ、前記シャッタボタンを全押し操作した際には発光部の発光を停止するように発光部の発光を制御する制御部と
を設けたことを特徴とする請求項２記載の撮影装置。
【請求項４】
撮影レンズを装置本体に備えた撮影装置において、
前記撮影レンズのレンズ鏡筒又はレンズ鏡筒近傍の装置本体でかつ被写体側から視認される位置に設けられた発光部と、
被写体の輝度を測光する測光部と、
この測光部による測光値が所定の閾値よりも低くなった際に前記発光部を発光させる制御部と
を設けたことを特徴とする撮影装置。
【請求項５】
前記発光部は、前記レンズ鏡筒の被写体側端面に設けられていることを特徴とする請求項１ないし４いずれか記載の撮影装置。
【請求項６】
前記発光部は、前記レンズ鏡筒の被写体側外周面に設けられていることを特徴とする請求項１ないし４いずれか記載の撮影装置。
【請求項７】
前記発光部は、前記装置本体に設けられ、前記レンズ鏡筒を取り囲むリング形状をしていることを特徴とする請求項１ないし４いずれか記載の撮影装置。
【発明の詳細な説明】
【技術分野】
【０００１】
本発明は、デジタルカメラ等の撮影装置に関するものである。
【背景技術】
【０００２】
人物を被写体とする記念写真などでは、被写体の視線が撮影レンズを見ていることが好ましい。ところが、夜の屋外など暗い場所では、被写体が撮影レンズの位置を視認できず、被写体の視線が撮影レンズに向いていない写真となりやすい。また、集合撮影では、視線の向きがバラバラになりやすい。
【０００３】
暗い場所で、被写体が撮影レンズの位置を視認できるようにした撮影装置としては、撮影レンズを保持するレンズ鏡筒の被写体側の面に夜光塗料を塗布したカメラが知られている（特許文献１参照）。
【特許文献１】特開平８−２２０６１９号公報
【発明の開示】
【発明が解決しようとする課題】
【０００４】
ところが、上記特許文献１記載のカメラでは、夜光塗料が蓄光されていなければ、夜光塗料が十分な明るさで発光しないため、暗い場所で撮影レンズの位置を被写体が視認するのは、困難である。また、夜光塗料からの光が撮影レンズに入るため、被写体輝度の測光や撮影に影響が出ることがある。
【０００５】
本発明は、以上を考慮してなされたもので、暗い場所においても被写体側から撮影レンズの位置を視認できる撮影装置を提供することを目的とする。
【課題を解決するための手段】
【０００６】
上記目的を達成するのにあたり、本発明の撮影装置は、撮影レンズを装置本体に備えた撮影装置において、前記撮影レンズのレンズ鏡筒又はレンズ鏡筒近傍の装置本体でかつ被写体側から視認される位置に設けられた発光部と、この発光部を発光させる際に操作される操作部材とを設けたことを特徴とする。
【０００７】
また、前記操作部材は、少なくとも夜景撮影モードと他のモードとの切替機能を有するモード切替部材であり、このモード切替部材を夜景撮影モードにセットすることにより、前記発光部が発光することを特徴とする。
【０００８】
また、被写体の輝度を測光する測光部と、半押し操作によって少なくとも測光部による測光が行なわれ、全押し操作によって撮影が実行されるシャッタボタンと、前記モード切替部材が夜景撮影モードにセットされた状態で、前記シャッタボタンの半押し操作により測光部による測光が行われている間は発光部の発光を停止し、前記測光が完了してからシャッタボタンを全押し操作するまでの間は発光部を発光させ、前記シャッタボタンを全押し操作した際には発光部の発光を停止するように発光部の発光を制御する制御部とを設けたことを特徴とする。
【０００９】
また、撮影レンズを装置本体に備えた撮影装置において、前記撮影レンズのレンズ鏡筒又はレンズ鏡筒近傍の装置本体でかつ被写体側から視認される位置に設けられた発光部と、被写体の輝度を測光する測光部と、この測光部による測光値が所定の閾値よりも低くなった際に前記発光部を発光させる制御部とを設けたことを特徴とする。
【００１０】
また、前記発光部は、前記レンズ鏡筒の被写体側端面に設けられていることを特徴とする。また、前記発光部は、前記レンズ鏡筒の被写体側外周面に設けられていることを特徴とする。また、前記発光部は、前記装置本体に設けられ、前記レンズ鏡筒を取り囲むリング形状をしていることを特徴とする。
【発明の効果】
【００１１】
本発明の撮影装置は、撮影レンズのレンズ鏡筒又はレンズ鏡筒近傍の装置本体でかつ被写体側から視認される位置に設けられた発光部と、この発光部を発光させる際に操作される操作部材とを設けたので、暗い場所でも被写体側から撮影レンズの位置を視認できるとともに、デザイン性を向上させることができる。
【００１２】
また、前記操作部材は、少なくとも夜景撮影モードと他のモードとの切替モードを有するモード切替部材であり、このモード切替部材を夜景撮影モードにセットすることにより、前記発光部が発光することが好ましい。
【００１３】
また、被写体輝度を測光する測光部と、半押し操作によって少なくとも測光部による測光が行われ、全押し操作によって撮影が実行されるシャッタボタンと、前記モード切替部材が夜景撮影モードにセットされた状態で、前記シャッタボタンの半押し操作を開始してから測光部による測光が完了するまでの間は、発光部の発光を停止し、前記測光が完了してからシャッタボタンを全押し操作するまでの間は発光部を発光させ、前記シャッタボタンを全押し操作した際には発光部の発光を停止するように発光部の発光を停止するように発光部の発光を制御する制御部とを設けることが好ましい。
【００１４】
また、前記撮影レンズのレンズ鏡筒又はレンズ鏡筒近傍の装置本体でかつ被写体側から視認される位置に設けられた発光部と、被写体の輝度を測光する測光部と、この測光部による測光値が所定の閾値よりも低くなった際に前記発光部を発光される制御部とを設けたので、暗い場所でも被写体側から撮影レンズの位置を視認できるとともに、デザイン性を向上させることができる。また、前記測光値が所定の閾値より高いときには発光部の発光を停止しているので消費電力を低減できる。
【００１５】
また、発光部は、レンズ鏡筒の被写体側端面、レンズ鏡筒の被写体外周面、レンズ鏡筒を取り囲むリング形状をして前記装置本体のいずれかに設けられているので、暗い場所でも被写体側から撮影レンズの位置をより正確に視認できるとともに、デザイン性をより向上させることができる。
【発明を実施するための最良の形態】
【００１６】
本発明の第１実施形態を示す図１において、撮影装置であるデジタルカメラ２のカメラボディ３の前面には、撮影レンズ５、レンズ鏡筒７、ストロボ発光部９が設けられている。また、カメラボディ３の左手側面には、図示していないが、メモリカード１１（図４参照）を装着するためのカードスロットが設けられている。
【００１７】
前記レンズ鏡筒７の被写体側端部には、暗い場所でも被写体から撮影レンズ５を視認できるようにドーナツ状に発光する発光部１３が設けられている。この発光部１３は、図２に示すように、前記レンズ鏡筒７の被写体側端部に組み込まれた複数個，例えば等間隔に配列された４個のＬＥＤ１４と、これらのＬＥＤ１４を被うように、前記レンズ鏡筒７の被写体側端部に取り付けられたドーナツ状をした発光板１５とから構成される。
【００１８】
前記発光板１５は、光拡散性を有する色素を混入したアクリル樹脂から形成され、外側の縁部がテーパー状にカットされるとともに、前記ＬＥＤ１４からの光を受け入れる部分を除く背面側がマット状に加工されている。また、前記テーパー状の縁部を被うようにリング状の化粧部材１６がレンズ鏡筒７の被写体側端部に取り付けられている。また、前記発光板１５から放出された光がレンズ鏡筒７の内側に射し込まないように、発光板１５の内側端面に接するように円環状の突条７ａがレンズ鏡筒７の被写体側端部と一体に設けられている。
【００１９】
前記ＬＥＤ１４から発光板１５に入った光は、この内部を拡散しながら伝搬し、前記テーパー状の縁部で反射されるとともにマット状の背面で拡散され、前面１５ａのほぼ全面から放出される。この結果、前記発光板１５の前面１５ａのほぼ全面が光る。
【００２０】
また、カメラボディ３の上面には、回転することによりデジタルカメラ２の動作モードが切り替えられるリング状のモード切替ダイヤル１８，シャッタボタン１９，及び電源スイッチ２０が配設されている。モード切替ダイヤル１８によって切り替えられる動作モードの中には、主に自然光下で選択される通常撮影モードや主に暗い場所での撮影で選択される夜景撮影モードなどがある。
【００２１】
シャッタボタン１９は２段階式に構成され、軽く押したままの「半押し」ではＡＦ及び自動露出制御（ＡＥ）が作動してＡＦとＡＥをロックし、「半押し」から更に押し込む「全押し」で撮影が実行される。
【００２２】
図３に示すように、カメラボディ３の背面には、液晶ディスプレイ（ＬＣＤ）２２，操作部２３が設けられている。この操作部２３は、ズームボタン２４，多機能の十字ボタン２５，メニュー実行ボタン２６，液晶表示／戻るボタン２７からなる。
【００２３】
前記ズームボタン２４は、右端部２４ａを押圧することで望遠（TELE）方向にズーミングを行い、左端部２４ｂを押圧することで広角（WIDE）方向にズーミングを行う。十字ボタン２５は、上下左右のいずれかの縁部を押圧することによって、対応する４方向（上、下、左、右）の指示を入力でき、メニュー画面における各種設定項目の選択や設定内容の変更を指示する操作ボタンとして使用されるとともに、電子ズームの倍率調整や再生コマの送り／戻しを指示する手段として用いられる。
【００２４】
メニュー実行ボタン２６は、各モードの通常画面からメニュー画面へ遷移させる時に使用されるとともに、選択内容の確定、処理の実行（確認）指示の時などに使用される。液晶表示／戻るボタン２７は、撮影モードや再生モードで一定時間が経過すると省エネのためにＬＣＤ２２のバックライトが消灯されるが、この消灯状態に押圧すると、ＬＣＤ２２のバックライトが点灯される。また、液晶表示／戻るボタン２７は、メニューから選んだ項目の取消（キャンセル）や一つ前の操作状態に戻る時などに使用される。
【００２５】
デジタルカメラ２の電気的構成を示す図４において、ＣＰＵ４５は、シャッタボタン１９や操作部２３などから入力される操作信号に応じてデジタルカメラ２の本体各部を制御する。撮影レンズ５には、フォーカスレンズ４６と絞り４７が組み込まれている。フォーカスレンズ４６は、モータを含むレンズ駆動機構４８によって駆動されて撮影レンズ５のピント調節が行われる。絞り４７は、モータを含む絞り駆動機構４９によって駆動されて絞り径が切り換えられる。レンズ駆動機構４８及び絞り駆動機構４９は、ＣＰＵ４５に制御されるモータドライバ５０，５１によって駆動される。
【００２６】
撮影光学系の背後には、撮像素子としてＣＣＤ５２が配置されている。ＣＣＤ５２は、周知のように、多数の受光素子がマトリックス状に配列された光電面を備えており、撮影レンズ５を通過し、この光電面に結像した被写体光を光電変換する。
【００２７】
また、ＣＣＤ５２を駆動するＣＣＤドライバ５３には、タイミングジェネレータ５４からのタイミング信号が供給される。ＣＣＤ５２から取り込まれたアナログの撮像信号は、アナログ信号処理回路５５に入力される。アナログ信号処理回路５５は、周知のように相関２重サンプリング回路（ＣＤＳ）と、オートゲインコントローラ（ＡＧＣ）と、ＡＤコンバータ（ＡＤＣ）とからなる。
【００２８】
フレームメモリ５８は、ＤＳＰ５６が画像データに対して各種信号処理を施す際に使用する作業用メモリである。フレームメモリ５８に書き込まれた画像データは、ＤＳＰ５６によって各種の画像処理が施される。
【００２９】
ＤＳＰ５６は、ＡＦ回路６０，ＡＥ／ＡＷＢ回路６２，画像入力コントローラ６４，電子ズーム処理回路６６，画像処理回路６８，圧縮処理回路６９，メディアコントローラ７０，ビデオエンコーダ７２、発光制御回路７４からなるＩＣチップであり、アナログ信号処理回路５５から入力された画像データに対して、各種の信号処理を施すとともに、メモリカード１１へアクセスして画像ファイルの読み書き等を行う。
【００３０】
画像入力コントローラ６４は、アナログ信号処理回路５５からＣＣＤ−ＲＡＷデータを取り込んで、これをフレームメモリ５８に書き込む。ＡＦ回路６０は、ＣＣＤ５２が撮像した画像に基づいて、焦点位置を検出し、フォーカシングを行う。ＡＥ回路は、被写体輝度を測定し、絞り値やシャッタ速度等を決定する。
【００３１】
電子ズーム処理回路６６は、ＣＣＤによって撮像された画像の一部を電子ズーム倍率に基づいて電子的に拡大する電子ズーム処理を行う。なお、電子ズーム倍率は、ズーム操作ボタン２４の操作量に応じてＣＰＵ４５により決定される。
【００３２】
画像処理回路６８は、画像データに対して、ガンマ補正，シャープネス補正，コントラスト補正などの画質補正処理、ＣＣＤ−ＲＡＷデータを輝度信号であるＹデータと、青色色差信号であるＣｂデータ及び赤色色差信号であるＣｒデータとからなるＹＣデータに変換するＹＣ処理を施す。
【００３３】
圧縮処理回路６９は、画像処理回路６８によって各種の画像処理が施された画像のデータに対して、圧縮処理を施して、画像ファイルを生成する。メディアコントローラ７０は、メモリカード１１へアクセスして画像ファイルの書き込みと読み込みとを行う。再生モードにおいては、メモリカード１１から圧縮された画像データが読み出されて、圧縮処理回路６９によって伸張処理が施された後、ＬＣＤ２２に出力される。
【００３４】
ビデオエンコーダ７２は、再生モード等において、デジタルデータをアナログのコンポジット信号に変換してＬＣＤ２２に出力する。
【００３５】
発光制御回路７４は、モード切替ダイヤル１８を操作して夜景撮影モードにセットすると、ＣＰＵ４５からの指令信号に応じてＬＥＤ１４を点灯及び消灯させる。この発光制御回路７４によりＬＥＤ１４は、夜景撮影モードにセットされると、点灯し、シャッタボタン１９を半押し操作してからＡＥ回路による被写体輝度の測光が完了するまでの間は消灯し、測光が完了してからシャッタボタン１９を全押し操作するまでの間は点灯し、シャッタボタン１９を全押し操作してからメモリカード１１への書き込みが完了するまでの間は消灯し、メモリカード１１への書き込みが完了すると点灯する。
【００３６】
このように構成されたデジタルカメラ２の作用について、図５に示すフローチャートを参照しながら説明する。電源スイッチ２０を押下操作してデジタルカメラ２の電源をオンにし（ｓｔ１）、モード切替ダイヤル１８を操作して夜景撮影モードにセットする（ｓｔ２）。これにより、発光制御回路７４によりＬＥＤ１４が点灯し、このＬＥＤ１４から放出された光が発光板１５内を伝わって発光板１５の前面１５ａから被写体側へ放出され、発光部１３が発光する（ｓｔ３）。
【００３７】
その後、撮影レンズ５を被写体に向け、ＬＣＤ２２に表示される画像を確認しながら、ズーム操作ボタン２４などを操作してフレーミングする。このとき、被写体は、光っている発光部１３に注意をひきつけられ、視線を向ける。シャッタボタン１９を半押し操作すると（ｓｔ４）、測光が開始されるとともに、ＬＥＤ１４が消灯して発光部１３の発光が停止する（ｓｔ５）。ピント調整、露光値決定、ホワイトバランスなどの撮影準備が完了すると（ｓｔ６）、ＬＥＤ１４が点灯して発光部１３が発光する（ｓｔ７）。
【００３８】
次に、シャッタボタン１９を全押し操作すると（ｓｔ８）、ＬＥＤ１４が消灯して発光部１３の発光が停止されるとともに（ｓｔ９）、所定の撮影シーケンスが実行され、撮像された画像データがメモリカード１１に記録される（ｓｔ１０）。この後、電源をオフすることなく（ｓｔ１１）、引き続き、夜景撮影モードをセットしたままであれば（ｓｔ２）、ＬＥＤ１４が点灯して発光部１３が発光する（ｓｔ３）。
【００３９】
また、モード切替ダイヤル１８を操作して別のモードをセットした場合には（ｓｔ２）、そのセットされたモード、例えば通常撮影モードでのシーケンスが実行される（ｓｔ１２）。また、撮影を止める場合には、電源スイッチ２０を押下操作し、デジタルカメラ２の電源をオフにする。（ｓｔ１１）
【００４０】
このように、本実施形態のデジタルカメラ２によれば、発光部１３が発光することで、暗い場所であっても被写体側から撮影レンズ５の位置を視認でき、カメラ目線で撮影が行える。また、シャッタボタン１９が半押し操作されてから被写体輝度の測光が完了するまでの間と、シャッタボタン１９が全押し操作されてからメモリカード１１への書き込みが完了するまでの間に発光部１３の発光が停止するので、測光や撮影に発光部１３から発光される光による影響が出ない。また、発光部１３が発光することで見た目が華やかになり、デザイン性が向上する。
【００４１】
次に、図６のフローチャートを参照して本発明の第２実施形態について説明する。なお、本実施形態のデジタルカメラは、前記第１実施形態のデジタルカメラ２と機械的な構成は同じであり、夜景撮影モードにおける発光部の発光を制御するシーケンスのみが異なる。
【００４２】
電源スイッチ２０を押下操作してデジタルカメラの電源をオンにし（ｓｔ２１）、シャッタボタン１９を半押し操作すると（ｓｔ２２）、被写体輝度の測光が開始される（ｓｔ２３）。ピント調整、露光値決定、ホワイトバランスなどの撮影準備が完了する（ｓｔ２４）。
【００４３】
前記測光により検出される被写体輝度が所定の閾値よりも低い場合には（ｓｔ２５）、発光制御回路７４によりＬＥＤ１４が点灯し、発光部１３が発光する（ｓｔ２６）。これにより、被写体の注意が発光部１３にひきつけられ、撮影レンズ５側に被写体の視線が向く。なお、前記閾値は、これ以上暗くなると被写体からデジタルカメラが見づらくなる程度の明るさ、例えば６ＬＶを基準に決められる。
【００４４】
次に、シャッタボタン１９を全押し操作すると（ｓｔ２７）、ＬＥＤ１４が消灯して発光部１３の発光が停止される（ｓｔ２８）とともに、所定の撮影シーケンスが実行され、撮像された画像データがメモリカード１１に記録される（ｓｔ２９）。また、前記測光により検出される被写体輝度が前記閾値より高い場合には（ｓｔ２５）、ＬＥＤ１４は消灯したまま発光部１３は発光されず、シャッタボタン１９を全押し操作すると（ｓｔ３０）、所定の撮影シーケンスが実行され、撮像された画像データがメモリカード１１に記録される（ｓｔ２９）。撮影を止める場合には、電源スイッチ２０を押下操作して、デジタルカメラの電源をオフにする（ｓｔ３１）。
【００４５】
このように、本実施形態のデジタルカメラによれば、被写体輝度が所定の閾値よりも低いときに発光部１３が自動的に発光するので、夜景撮影モードにセットする手間が省け、簡単・確実にカメラ目線の撮影が行える。また、被写体輝度が所定の閾値より高いと、発光部１３が発光しないので消費電力が低減される。
【００４６】
上記実施形態では、レンズ鏡筒７の被写体側端面に発光部を設けたが、図７に示すデジタルカメラ８０のように、レンズ鏡筒７の被写体側外周部に発光部を設けるようにしてもよい。この発光部８１は、リング状をした発光板８２と、この背後に設けられた複数個のＬＥＤ（図示せず）とから構成される。なお、本実施形態では、前記第１実施形態と同じ部材には同じ符号を付して説明を省略する。
【００４７】
前記発光板８２は、前記第１実施形態と同様に構成され、背後のＬＥＤが点灯すると、この光を内部で拡散しながら伝搬し、前面８２ａのほぼ全面から放出する。
【００４８】
また、図８に示すように、デジタルカメラ８５のカメラボディ８６側に発光部８７を設けてもよい。この発光部８７は、レンズ鏡筒７の周囲を取り囲むようにして配設されたドーナツ状をした発光板８８と、この背後に組み込まれた複数個のＬＥＤ（図示せず）とからなる。前記発光板８８は、第１実施形態の発光板１５と同様な構成をしており、背後のＬＥＤが点灯すると、この光を受け入れて内部で拡散しながら伝搬し、前面８８ａのほぼ全面から放出する。なお、前記発光部は、ドーナツ状に限らず、例えば円弧状や矩形状をした複数個の発光部をレンズ鏡筒の周囲を取り囲むように、あるいはレンズ鏡筒の近傍に配設するようにしてもよい。
【００４９】
また、発光部は、上記実施形態のような発光板を用いることなく、図９に示すデジタルカメラ９５のように、レンズ鏡筒７の被写体側端部に複数のＬＥＤ９７を等間隔に組み込んで発光部９８を構成してもよい。また、発光部に用いられるＬＥＤなどの光源の数は、複数に限らず、一つでもよい。
【００５０】
以上説明した実施形態では、測光時や撮影時には、発光部の発光を停止したが、本発明はこれに限定されることなく、発光部からの光が完全に撮影レンズに射し込まないようにできれば、発光部を発光させたまま測光や撮影を行なってもよい。また、発光部の光源であるＬＥＤは連続点灯している必要はなく、点灯と消灯とを一定周期で繰り返す点滅であってもよい。
【００５１】
また、上記実施形態では、発光部を発光させる際に操作する操作部をモード切替ダイヤルとしたが、本発明はこれに限定されることなく、例えば他の操作ボタンと兼用させてもよく、また、専用の発光操作ボタンなどを設けてもよい。また、上記第２実施形態では、前記閾値の基準値を６ＬＶとしたが、本発明はこれに限定されることなく、例えば５ＬＶとしてもよい。
【００５２】
上記実施形態では、発光部の光源にＬＥＤを用いたが、ハロゲンランプなどを光源に用いても本発明を実施できる。また、背後に設けられた光源からの光を透過させる発光板は、アクリル樹脂から形成されていたが、本発明はこれに限定されず、ポリカーボネイト、ＰＭＭＡ（ポリメチルメタクリレート）、エストラマー、メタクリル、シリコンゴム、ガラスなどから形成してもよい。上記実施形態の発光板には、光拡散性を高めるための色素が混入されていたが、暗い場所でも被写体側から撮影レンズの位置を視認できるように発光部が発光するのであれば、前記色素を混入しなくてもよい。
【００５３】
また、上記実施形態では、撮影装置にデジタルカメラを用いたが、本発明はこれに限定されることなく、例えば、銀塩カメラやデジタルビデオカメラなどでもよい。
【図面の簡単な説明】
【００５４】
【図１】デジタルカメラの斜視図である。
【図２】レンズ鏡筒の被写体側端面近傍の断面図である。
【図３】デジタルカメラの背面図である。
【図４】デジタルカメラの電気的構成を示すブロック図である。
【図５】本発明の第１実施形態の主なシーケンスを示すフローチャートである。
【図６】本発明の第２実施形態の主なシーケンスを示すフローチャートである。
【図７】発光部をレンズ鏡筒の被写体側外周部に設けたデジタルカメラを示す斜視図である。
【図８】発光部をレンズ鏡筒の外周を囲むようにカメラボディに設けたデジタルカメラを示す斜視図である。
【図９】複数個のＬＥＤのみで発光部を構成したデジタルカメラを示す外観斜視図である。
【符号の説明】
【００５５】
２，８０，８５，９５  デジタルカメラ
３，８６  カメラボディ
５  撮影レンズ
７  レンズ鏡筒
１３，８１，８７，９８  発光部
１４，９７  ＬＥＤ
１５，８２，８８  発光板
１８  モード切替ダイヤル
１９  シャッタボタン
４５  ＣＰＵ
５２  ＣＣＤ
５６  ＤＳＰ
６２  ＡＥ／ＡＷＢ回路
７４  発光制御回路
【図１】
2007304126.tif 000003
【図２】
2007304126.tif 000004
【図３】
2007304126.tif 000005
【図４】
2007304126.tif 000006
【図５】
2007304126.tif 000007
【図６】
2007304126.tif 000008
【図７】
2007304126.tif 000009
【図８】
2007304126.tif 000010
【図９】
2007304126.tif 000011